(57)【要約】【課題】様々な大きさの物品の梱包に兼用でき、いずれの大きさの物品もしっかりと固定できる寸法可変穴あきパッドを提供する。【解決手段】平板１に物品を嵌め入れる収納穴２を形成するため、収納穴２の隅部となる部分に切込３を入れ、切込３の奥端間に基本罫線４を入れて、基本罫線４より内側部分を折込片５とし、切込３からさらにミシン目状の破断線６を入れ、折込片５の外側に基本罫線４と平行して両端が破断線６に至る可変罫線７を１本又は複数本入れておき、基本罫線４を軸に折込片５を折り曲げ、又は、破断線６を破断して、任意の可変罫線７を軸にその内側部分を折り曲げることにより、収納穴２を物品に対応した大きさに変化させられるようにした寸法可変穴あきパッドにおいて、前記破断線６を、切込３から２方向へ延びて、切込３と三叉をなすように入れる。【選択図】図２
2016175657.tif 000002
【特許請求の範囲】
【請求項１】
平板(1)に物品を嵌め入れる収納穴(2)を形成するため、収納穴(2)の隅部となる部分に切込(3)を入れ、切込(3)の奥端間に基本罫線(4)を入れて、基本罫線(4)より内側部分を折込片(5)とし、切込(3)からさらに破断線(6)を入れ、折込片(5)の外側に基本罫線(4)と平行して両端が破断線(6)に至る可変罫線(7)を１本又は複数本入れておき、
基本罫線(4)を軸に折込片(5)を折り曲げ、又は、破断線(6)を破断して、任意の可変罫線(7)を軸にその内側部分を折り曲げることにより、収納穴(2)を物品に対応した大きさに変化させられるようにした寸法可変穴あきパッドにおいて、
前記破断線(6)を、切込(3)から２方向へ延びて、切込(3)と三叉をなすように入れたことを特徴とする寸法可変穴あきパッド。
【発明の詳細な説明】
【技術分野】
【０００１】
この発明は、物品を固定して梱包するためのパッドであって、様々な大きさの物品に兼用できるようにしたものに関する。
【背景技術】
【０００２】
下記特許文献１には、梱包用の寸法可変パッドとして、図６に示すように、平板５１に２本の折目線５２を入れて、その間の部分を底板部５３とし、底板部５３から両側方へ複数本のミシン目状の切目線５４を平行に入れて、枠板部５５と保持板部５６とを形成し、枠板部５５には、底板部５３を挟んで折目線５２と平行に折目線５７を入れ、保持板部５６には、多数本の折目線５８を折目線５２と平行に入れ、平板５１の周囲に脚板５９を連設し、底板部５３の部分で脚板５９を分断したものが記載されている。
【０００３】
このような寸法可変パッドを使用する際には、平板５１からその周囲の脚板５９を下方へ折り曲げ、平板５１を折目線５２，５７を軸に折り曲げて、底板部５３を下方へ落とし込み、収納する物品Ｇに合わせて切目線５４を部分的に切り裂くと共に、保持板部５６を折目線５８を軸に窪ませるように折り曲げて、物品Ｇの外形に適合する凹所を形成し、その凹所に物品Ｇを収納する。
【０００４】
ところで、図６に示す寸法可変パッドは、長さ方向の寸法が異なる複数種の物品には対応できるが、長さ方向と幅方向の寸法が共に異なる複数種の物品には対応できないものであるところ、このような複数種の物品に対応できる梱包用パッドとして、図７に示すような寸法可変穴あきパッドが知られている。
【０００５】
図７に示す寸法可変穴あきパッドは、平板５１に物品を嵌め入れる収納穴５２を形成するため、収納穴５２の隅部から放射状にそれぞれ切込５３を入れ、切込５３の奥端間に基本罫線５４を入れて、基本罫線５４より内側部分を折込片５５とし、切込５３の奥端からさらに放射状にミシン目状の破断線５６を入れ、折込片５５の外側に基本罫線５４と平行して両端が破断線５６に至る可変罫線５７を複数本入れ、また、平板５１の周囲に脚板５８を連設したものとされている。
【０００６】
このような寸法可変穴あきパッドを使用する際には、平板５１からその周囲の脚板５８を下方へ折り曲げると共に、基本罫線５４を軸に折込片５５を下方へ折り曲げ、又は、破断線５６を破断して任意の可変罫線５７を軸にその内側部分を折り曲げることにより、収納穴５２を物品に対応した大きさに変化させた状態で、このパッドを箱に挿入し、収納穴５２に物品を嵌め入れ、収納穴５２の各辺で物品の移動が規制されるようにする。
【先行技術文献】
【特許文献】
【０００７】
【特許文献１】実公昭５５−４７１６１号公報
【発明の概要】
【発明が解決しようとする課題】
【０００８】
しかしながら、図７に示す寸法可変穴あきパッドでは、破断線５６を破断すると、収納穴５２の縦横２方向の寸法が同時に変化するため、対応可能な物品の大きさの選択肢が少なく、また、破断線５６の破断を折り曲げを予定した可変罫線５７の位置で止められないことがあり、この場合、意図しない可変罫線５７での折れ曲がりが生じて、物品をしっかりと固定できなくなる恐れがある。
【０００９】
そこで、この発明は、様々な大きさの物品の梱包に兼用でき、いずれの大きさの物品もしっかりと固定できる寸法可変穴あきパッドを提供することを課題とする。
【課題を解決するための手段】
【００１０】
上記のような課題を解決するため、この発明は、平板に物品を嵌め入れる収納穴を形成するため、収納穴の隅部となる部分に切込を入れ、切込の奥端間に基本罫線を入れて、基本罫線より内側部分を折込片とし、切込からさらに破断線を入れ、折込片の外側に基本罫線と平行して両端が破断線に至る可変罫線を１本又は複数本入れておき、基本罫線を軸に折込片を折り曲げ、又は、破断線を破断して、任意の可変罫線を軸にその内側部分を折り曲げることにより、収納穴を物品に対応した大きさに変化させられるようにした寸法可変穴あきパッドにおいて、前記破断線を、切込から２方向へ延びて、切込と三叉をなすように入れたのである。
【発明の効果】
【００１１】
この発明に係る寸法可変穴あきパッドでは、収納穴の隅部となる切込から破断線が切込と三叉をなすように２方向へ延びているので、収納穴を物品に対応した大きさに変化させる際、切込の一側の破断線と他側の破断線とを独立して破断することができ、破断を途中で止めることも容易となる。このため、収納穴の縦横２方向の寸法をそれぞれ変化させ、様々な大きさの物品をしっかりと固定して梱包することができる。
【図面の簡単な説明】
【００１２】
【図１】この発明の実施形態に係る寸法可変穴あきパッドのブランクを示す図
【図２】同上の物品の収納穴を最も小さく形成した組立状態を示す斜視図
【図３】同上の物品の収納穴を最も大きく形成した組立状態を示す斜視図
【図４】同上の寸法可変穴あきパッドを箱に挿入した状態を示す斜視図
【図５】同上の（ａ−１）〜（ａ−３）収納穴の幅方向寸法を大きく設定し、長さ方向の寸法を変化させた状態を示す平面図、（ｂ−１）〜（ｂ−３）収納穴の幅方向寸法を小さく設定し、長さ方向の寸法を変化させた状態を示す平面図
【図６】特許文献１に記載の寸法可変パッドの物品収納状態を示す斜視図
【図７】従来の寸法可変穴あきパッドのブランクを示す図
【発明を実施するための形態】
【００１３】
以下、この発明の実施形態を添付図面に基づいて説明する。
【００１４】
このパッドは、段ボール製であり、図１に示すようなブランクから形成される。このブランクでは、段ボールの中芯の段頂が延びる方向である段目に対し、４５°傾けて配置された長方形の平板１に物品を嵌め入れる収納穴２が形成されるようになっており、平板１の長さ方向及び幅方向のいずれに対しても、均等な強度を有するものとされている。
【００１５】
収納穴２の各隅部となる部分には、放射状にそれぞれ切込３が入れられ、切込３の奥端間に基本罫線４を入れられて、基本罫線４より内側部分が折込片５とされている。
【００１６】
また、切込３の奥端から２方向へ延びて、切込３と三叉をなすように、切目が断続するミシン目状の破断線６が入れられている。
【００１７】
そして、折込片５の外側に、基本罫線４と平行して両端が破断線６に至る可変罫線７が平板１の長さ方向には１本、幅方向には２本それぞれ入れられている。平板１の長さ方向の１本の可変罫線７の両端と、平板１の幅方向の２本の可変罫線７のうち折込片５から最も離れたものの両端は、破断線６の奥端と交わっている。
【００１８】
このブランクにおいて、基本罫線４及び可変罫線７は、段ボールの裏面側から押圧した押罫線とされている。また、平板１の周囲には、同様に段ボールの裏面側から押圧した罫線を介して脚板８が連設されている。
【００１９】
上記のような寸法可変穴あきパッドを使用する際には、図２又は図３に示すように、平板１からその周囲の脚板８を下方へ折り曲げると共に、基本罫線４を軸に折込片５を下方へ折り曲げ、又は、破断線６を破断して任意の可変罫線７を軸にその内側部分を折り曲げることにより、収納穴２を物品に対応した大きさに変化させた状態とする。
【００２０】
そして、図４に示すように、この寸法可変穴あきパッドを箱Ｂに挿入し、収納穴２に物品Ｇを嵌め入れ、物品Ｇの外周を折込片５に当接させ、収納穴２の各辺で物品Ｇの移動が規制されるようにする。
【００２１】
ここで、収納穴２の開口パターンを図５に示す。図５（ａ−１）〜（ａ−３）は、収納穴２の幅方向（横方向）寸法を大きく設定し、長さ方向（縦方向）の寸法を変化させた状態を示す平面図であり、図５（ｂ−１）〜（ｂ−３）は、収納穴２の幅方向（横方向）寸法を小さく設定し、長さ方向（縦方向）の寸法を変化させた状態を示す平面図である。
【００２２】
上記のような寸法可変穴あきパッドでは、収納穴２の隅部となる切込３から破断線６が切込３と三叉をなすように２方向へ延びているので、収納穴２を物品に対応した大きさに変化させる際、切込３の一側の破断線６と他側の破断線６とを独立して破断することができ、破断を途中で止めることも容易となる。
【００２３】
このため、収納穴２の縦横２方向の寸法をそれぞれ変化させ、様々な大きさの物品をしっかりと固定して梱包することができる。
【００２４】
また、ブランクを形成するための材料の使用面積は、従来のものと同様であり、物品梱包時の作業性が低下することもない。
【００２５】
さらに、破断線６を基本罫線４及び可変罫線７に対して傾けているので、基本罫線４と可変罫線７の間及び可変罫線７同士の間の破断線６の距離を長く確保して、破断線６の繋部を多数設けることができ、破断線６の破断を確実に途中で止めることができる。また、基本罫線４と可変罫線７の間隔及び可変罫線７同士の間隔を狭くすることもできる。
【００２６】
なお、可変罫線７を軸としてその内側部分を折り曲げると、収納穴２は四角形でなく八角形となるが、例えば、炊飯器のように、四隅が丸味を帯びている形状の物品や、四隅が面取りされている物品の梱包には支障がない。
【００２７】
また、上記実施形態では、隣り合う基本罫線４が直角をなすものを記載しているが、この角度は、物品の形状に合わせて、鈍角や鋭角となるようにしてもよい。
【００２８】
また、破断線６として、切目が断続するミシン目状となったものを例示しているが、破断線６は、用紙を厚さ方向の途中まで切り込んだ半切線としてもよい。
【符号の説明】
【００２９】
１  平板
２  収納穴
３  切込
４  基本罫線
５  折込片
６  破断線
７  可変罫線
８  脚板
Ｂ  箱
Ｇ  物品
【図１】
2016175657.tif 000003
【図２】
2016175657.tif 000004
【図３】
2016175657.tif 000005
【図４】
2016175657.tif 000006
【図５】
2016175657.tif 000007
【図６】
2016175657.tif 000008
【図７】
2016175657.tif 000009